(57)【要約】  本発明は、双方向伝送装置及び双方向伝送方法に関し、装置は、イーサネット（登録商標）との信号通信で接続されたプロセッサ装置と、ＲＦ変調／復調装置と、同軸ケーブル・ネットワークと信号通信で接続されたＰＦ周波数変換装置とに関する。イーサネット（登録商標）からのデータ信号入力は、信号処理装置及びＲＦ変調／復調装置による、標準ＩＥＥＥ８０２．１１に変調され、次いで、２．４ＧＨｚ又は５．８ＧＨｚ標準ＩＥＥＥ８０２．１１信号からダウンコンバートされ、好ましくは、９００ＭＨｚ乃至１２００ＭＨｚの範囲にダウンコンバートされる。双方向伝送装置は、種々の周波数帯域を選択して、信号の帯域幅を広げる周波数帯域幅選択器を更に備える。
2010511309.tif 000002
【特許請求の範囲】
【請求項１】
同軸ケーブルを介してデータ信号を伝送するサーバ側信号伝送装置であって、
前記サーバからの前記データ信号を第１の信号に第１の伝送方向中に変換するか、又は、前記第１の信号を前記データ信号に第２の伝送方向中に変換するプロセッサ装置と、
前記プロセッサ装置からの前記第１の信号を、第１の周波数帯域における第２の信号に前記第１の伝送方向中に変調するか、又は前記第１の周波数帯域における前記第２の信号を前記第１の信号に前記第２の伝送方向中に復調する変調／復調装置と、
前記第１の伝送方向中に前記第１の信号を伝送するためのチャネルを前記第１の周波数帯域から選択するか、又は前記第２の伝送方向中に前記第２の信号を伝送するためのチャネルを前記第１の周波数帯域から選択するチューナと、
前記第２の信号の前記第１の周波数帯域を低周波帯域に前記第１の伝送方向中に変換し、又は、前記第２の信号の前記低周波帯域を前記第２の信号の前記第１の周波数帯域に前記第２の伝送方向中に変換する周波数変換装置と、
前記第２の信号の前記低周波帯域を、より広い低周波帯域に前記第１の伝送方向中に広げ、より広い周波数帯域を前記低周波帯域に前記第２の伝送方向中に狭める周波数帯域選択器とを備えるサーバ側信号伝送装置。
【請求項２】
請求項１記載のサーバ側信号伝送装置であって、前記データ信号がイーサネット（登録商標）データ信号であるサーバ側信号伝送装置。
【請求項３】
請求項２記載のサーバ側信号伝送装置であって、前記第１の信号が、ＩＥＥＥ８０２．１１に準拠したベースバンド信号であるサーバ側信号伝送装置。
【請求項４】
請求項３記載のサーバ側信号伝送装置であって、前記第２の信号が、ＩＥＥＥ８０２．１１Ｘに準拠した信号であり、前記第１の周波数帯域が２．４ＧＨｚ又は５．８ＧＨｚであるサーバ側信号伝送装置。
【請求項５】
請求項４記載のサーバ側伝送装置であって、低周波信号の周波数帯域は、前記周波数帯域選択器における局所発振器を適合させることによって広げられるサーバ側伝送装置。
【請求項６】
請求項１乃至５記載のサーバ側信号伝送装置であって、前記第１の伝送方向は、イーサネット（登録商標）のサーバから、家庭のクライアントにデータ信号を伝送する下りリンク方向であり、前記第２の伝送方向は、前記家庭のクライアントから前記イーサネット（登録商標）のサーバにデータ信号を伝送する上りリンク方向であるサ―バ側信号伝送装置。
【請求項７】
同軸ケーブルを介してデータ信号を伝送するクライアント側信号伝送装置であって、
前記クライアントからの前記データ信号を第３の信号に第３の伝送方向中に変換するか、又は前記第３の信号を前記データ信号に第４の伝送方向中に変換するプロセッサ装置と、
前記プロセッサ装置からの前記第３の信号を第３の周波数帯域における第４の信号に前記第３の伝送方向中に変調するか、又は前記第３の周波数帯域における前記第４の信号を前記第３の信号に前記第４の伝送方向中に復調する変調／復調装置と、
前記第３の伝送方向中に前記第３の信号を伝送するためのチャネルを前記第３の周波数帯域から選択するか、又は、前記第４の伝送方向中に前記第４の信号を伝送するためのチャネルを前記第３の周波数帯域から選択するチューナと、
前記第４の信号の前記第３の周波数帯域を低周波帯域に前記第３の伝送方向中に変換し、前記第４の信号の前記低周波帯域を前記第４の信号の前記第３の周波数帯域に前記第４の伝送方向中に変換する周波数変換装置と。前記第４の信号の低周波帯域を、より広い低周波帯域に前記第３の伝送方向中に広げ、前記より広い周波数帯域を前記低周波帯域に前記第４の伝送方向中に狭める周波数帯域選択器とを備えるクライアント側信号伝送装置。
【請求項８】
請求項７記載のクライアント側信号伝送装置であって、前記データ信号がイーサネット（登録商標）データ信号であるクライアント側信号伝送装置。
【請求項９】
請求項８記載のクライアント側信号伝送装置であって、前記第３の信号が、ＩＥＥＥ８０２．１１に準拠したベースバンド信号であるクライアント側信号伝送装置。
【請求項１０】
請求項９記載のクライアント側信号伝送装置であって、前記第４の信号が、ＩＥＥＥ８０２．１１に準拠した信号であり、前記第３の周波数が２．４ＧＨｚ又は５．８ＧＨｚであるクライアント側信号伝送装置。
【請求項１１】
請求項１０記載のクライアント側伝送装置であって、前記低周波信号の周波数帯域は、周波数帯域選択器における局所発振器を適合させることによって広げられるクライアント側伝送装置。
【請求項１２】
請求項７乃至１１の何れか一項に記載のクライアント側信号伝送装置であって、前記第３の伝送方向は、前記クライアントからサーバにデータ信号を伝送する上りリンク方向であり、前記第４の方向は、前記サーバから前記クライアントにデータ信号を伝送する下りリンクであるクライアント側信号伝送装置。
【請求項１３】
同軸ケーブルを介してデータ信号を伝送するサーバ側信号伝送方法であって、
前記サーバからの前記データ信号を第１の信号に第１の伝送方向中に変換するか、又は、前記第１の信号を前記データ信号に第２の伝送方向中に変換する工程と、
前記第１の信号を、第１の周波数帯域における第２の信号に前記第１の伝送方向中に変調するか、又は前記第１の周波数帯域における前記第２の信号を前記第１の信号に前記第２の伝送方向中に復調する工程と、
前記第１の伝送方向中に前記第１の信号を伝送するためのチャネルを前記第１の周波数帯域から選択するか、又は前記第２の伝送方向中に前記第２の信号を伝送するためのチャネルを前記第１の周波数帯域から選択する工程と、
前記第２の信号の前記第１の周波数帯域を低周波帯域に前記第１の伝送方向中に変換し、又は、前記第２の信号の前記低周波帯域を前記第２の信号の前記第１の周波数帯域に前記第２の伝送方向中に変換する工程と、
前記第２の信号の前記低周波帯域を、より広い低周波帯域に前記第１の伝送方向中に広げ、より広い周波数帯域を前記低周波帯域に前記第２の伝送方向中に狭める工程とを含むサーバ側信号伝送方法。
【請求項１４】
請求項１３記載のサーバ側信号伝送方法であって、前記データ信号がイーサネット（登録商標）データ信号であるサーバ側信号伝送方法。
【請求項１５】
請求項１４記載のサーバ側信号伝送方法であって、前記第１の信号が、ＩＥＥＥ８０２．１１に準拠したベースバンド信号であるサーバ側信号伝送方法。
【請求項１６】
請求項１５記載のサーバ側信号伝送方法であって、前記第２の信号が、ＩＥＥＥ８０２．１１に準拠した信号であり、前記第１の周波数帯域が２．４ＧＨｚ又は５．８ＧＨｚであるサーバ側信号伝送方法。
【請求項１７】
請求項１６記載のサーバ側伝送装置であって、前記低周波信号の周波数帯域は、局所発振器を適合させることによって広げられるサーバ側伝送装置。
【請求項１８】
請求項１３乃至１７のうちの何れか一項に記載のサーバ側信号伝送装置であって、前記第１の伝送方向は、イーサネット（登録商標）のサーバから、家庭のクライアントにデータ信号を伝送する下りリンク方向であり、前記第２の伝送方向は、前記家庭のクライアントから前記イーサネット（登録商標）の前記サーバにデータ信号を伝送する上りリンク方向であるサ―バ側信号伝送装置。
【請求項１９】
同軸ケーブルを介してデータ信号を伝送するクライアント側信号伝送方法であって、
前記クライアントからの前記データ信号を第３の信号に第３の伝送方向中に変換するか、又は前記第３の信号を前記データ信号に第４の伝送方向中に変換する工程と、
前記第３の信号を第３の周波数帯域における第４の信号に前記第３の伝送方向中に変調するか、又は前記第３の周波数帯域における前記第４の信号を前記第３の信号に前記第４の伝送方向中に復調する工程と、
前記第３の伝送方向中に前記第３の信号を伝送するためのチャネルを前記第３の周波数帯域から選択するか、又は、前記第４の伝送方向中に前記第４の信号を伝送するためのチャネルを前記第３の周波数帯域から選択する工程と、
前記第４の信号の前記第３の周波数帯域を低周波帯域に前記第３の伝送方向中に変換し、前記第４の信号の前記低周波帯域を前記第４の信号の前記第３の周波数帯域に前記第４の伝送方向中に変換する工程と。
前記第４の信号の低周波帯域を、より広い低周波帯域に前記第３の伝送方向中に広げ、前記より広い周波数帯域を前記低周波帯域に前記第４の伝送方向中に狭める工程とを含むクライアント側信号伝送方法。
【請求項２０】
請求項１９記載のクライアント側信号伝送方法であって、前記データ信号がイーサネット（登録商標）データ信号であるクライアント側信号伝送方法。
【請求項２１】
請求項２０記載のクライアント側信号伝送方法であって、前記第３の信号が、ＩＥＥＥ８０２．１１に準拠したベースバンド信号であるクライアント側信号伝送方法。
【請求項２２】
請求項２１記載のクライアント側信号伝送方法であって、前記第４の信号が、ＩＥＥＥ８０２．１１に準拠した信号であり、前記第３の周波数が２．４ＧＨｚ又は５．８ＧＨｚであるクライアント側信号伝送方法。
【請求項２３】
請求項２２記載のクライアント側信号伝送方法であって、前記低周波信号の周波数帯域は、局所発振器を適合させることによって広げられるクライアント側信号伝送方法。
【請求項２４】
請求項１９乃至２３の何れか一項に記載のクライアント側信号伝送方法であって、前記第３の伝送方向は、前記クライアントからサーバにデータ信号を伝送する上りリンク方向であり、前記第４の方向は、前記サーバから前記クライアントにデータ信号を伝送する下りリンクであるクライアント側信号伝送方法。
【発明の詳細な説明】
【技術分野】
【０００１】
本発明は、双方向信号通信の技術に関し、特に、ＩＥＥＥ８０２．１１標準の信号を使用することにより、イーサネット（登録商標）と同軸ケーブルとの間でデータを通信するための双方向信号伝送装置及び双方向信号伝送方法に関する。
【背景技術】
【０００２】
無線ネットワーク・システムの急速な展開及び幅広い応用、並びにケーブルＴＶネットワークの普及とともに、ＣＡＴＶネットワークの既存の同軸ケーブルによる適切な無線通信標準に沿った、伝送データ信号の技術を使用した種々の数多くの解決策が近年、提示されている。一方、既存のＣＡＴＶネットワークによる信号伝送は、その高い伝送効率及び経済的利益により、大きなマーケット・シェアを有するであろう。しかし、２．４ＧＨｚ又は５．８ＧＨｚの周波数を使用する従来の無線ネットワークは、同軸ケーブルを介した信号伝送に適していない。既存の技術的解決策では、無線データ信号が変調され、次いで、変調無線データ信号が、同軸ケーブルによる伝送に適合された特定の周波数範囲に変換される。
【０００３】
例えば、ＩＥＥＥ８０２．１１標準の通信プロトコルを使用したＷＬＡＮの技術では、多重化器などの特定の信号合成装置は、既存ＣＡＴＶネットワークの同軸ケーブルを使用して、ビルの外からビル内の加入者に無線信号を伝送するために、受信されたＩＥＥＥ８０２．１１無線信号をＣＡＴＶ信号と合成し、同軸ケーブルを介して信号を伝送する。前述の解決策の目的は、ビルの内部に外部から無線信号を与えて、無線信号のシームレスなカバレッジを達成し、サービスの品質を保証することである。  
現在、ＣＡＴＶネットワークの同軸ケーブルを介した信号伝送の各種アプリケーションが存在している。例えば、ＵＣｌｉｎｋシステムが、Ｓｈｅｎｚｈｅｎ  Ｈｕａｗｅｉにより、データ通信のＩＥＥＥ８０２．１１標準プロトコルの代わりに、上りリンク及び下りリンクの周波数キャリアが異なる周波数であるＡＳＩＣプロトコルに基づいて開発されている。別の既存の技術的解決策は、アンテナの代わりに同軸ケーブルを介してＷＩＦＩ信号を伝送する標準的なＷＩＦＩ製品である。前述の解決策の問題点は、高周波信号は、伝送距離が制限され、ネットワークのサービス・プロバイダが、適切に使用するために元の装置（例えば、帯域分割器及びトランシーバ等）を修正しなければならないという点である。
【０００４】
中国特許出願第ＣＮ６２０１３２号には、同軸ケーブル・ネットワークを介した伝送のために、ＩＥＥＥ８０２．１１信号を０−６５ＭＨｚ信号にダウンコンバートする、ＣＡＴＶネットワーク・データ伝送用の一体化システムが開示されている。上記一体化システムでは、ＱＡＭ（直交振幅変調）又はＱＰＳＫ（直交位相シフト・キーイング）等によるＯＦＤＭ（直交周波数分割多重化）のやり方で０乃至６５ＭＨｚに変換され、次いで、同軸ケーブル・ネットワークを介して伝送される。その周波数帯域範囲は、（無線周波数の８８ＭＨｚ乃至１０８ＭＨｚ以外の）約５４乃至５５０ＭＨｚであるＣＡＴＶ周波数（例えば、北米のＣＡＴＶチャネル）と部分的に重なっている。更に、前述の狭帯域内の２つ以上の非干渉チャネルを割り当てることはほとんど不可能である。
【０００５】
同軸ケーブルを介して信号を伝送するための別の種の既知の技術的解決策は、同軸ケーブルを介して信号を伝送する前に２．４ＧＨｚから約９００乃至２０００ＭＨｚにＩＥＥＥ８０２．１１標準無線信号をダウンコンバートする。例えば、図１に示すように、既存のＷＩＦＩ信号トランシーバは、受信ＷＩＦＩ信号を変調し、それを適切な周波数帯域の範囲に変換し、次いで、変換された信号を同軸ケーブルを介して送信するために提供される。信号トランシーバは、プロセッサ装置１ａと、ＲＦ変調／復調装置２ａと、チューナ４ａと、ＲＦ周波数変換装置３ａとを備える。プロセッサ装置１ａは、イーサネット（登録商標）ネットワークと信号通信で接続されたインタフェースを有する。
【０００６】
下りリンク伝送中に、イーサネット（登録商標）データ信号が、イーサネット（登録商標）からインタフェースを介してプロセッサ装置Ｉａによって受信され、ＷＩＦＩ標準ベースバンド信号に変換される。次いで、ＷＩＦＩ標準ベースバンド信号がＲＦ変調／復調装置２ａに送信される。通常、２．４ＧＨｚＷＩＦＩ信号の範囲は、いくつかの、より小さな帯域又は「チャネル」に分割される。例えば、ＩＥＥＥ８０２．１１ｂ標準及びＩＥＥＥ８０２．１１ｇ標準では、選択のために１３のチャネルが存在している。変調／復調装置２ａは、チャネルがチューナ４ａによって選択されている間に、ＷＩＦＩ標準ベースバンド信号を２．４ＧＨｚ又は５．８ＧＨｚの周波数に変調する。次いで、２．４ＧＨｚ又は５．８ＧＨｚ信号はＲＦ周波数変換装置３ａに伝送され、ＲＦ周波数変換装置３ａでは、２．４ＧＨｚ又は５．８ＧＨｚ信号は、同軸ケーブルを介して伝送される対象の９００ＭＨｚ乃至２０００ＭＨｚの範囲にダウンコンバートされる。前述の周波数ダウンコンバートにより、ＣＡＴＶ信号の干渉を阻止するためにＣＡＴＶによって使用される特定の周波数帯が避けられる。図２に示すように、まず、クライアントがダウンコンバートされた周波数で信号を受信すると、ダウンコンバートされた周波数が、ＲＦ周波数変換装置３ａ’により、２．４ＧＨｚ又は５．８ＧＨｚの信号にアップコンバートされる。次いで、２．４ＧＨｚ又は５．８ＧＨｚ信号のチャネルが選択され、信号が装置２ａ’においてベースバンド信号に復調される。ベースバンド信号は、プロセッサ装置１ａ’により、イーサネット（登録商標）データ信号に変換される。
【０００７】
上りリンク伝送は、下りリンク伝送とは逆の順序で行われ、下りリンクの説明を参照することによって理解することが可能であり、ここでは更に説明するものでない。
【発明の概要】
【発明が解決しようとする課題】
【０００８】
しかし、従来技術は、帯域幅に対する制限を有するので、重なり合わない複数の（例えば、５つの）チャネルをサポートすることが可能でない。したがって、従来技術の欠点及び制限を解消するための、改良された技術的解決策を策定することが望ましい。
【課題を解決するための手段】
【０００９】
本発明は、従来技術の上記課題を解決し、標準的な無線伝送ネットワーク（例えば、標準的なＩＥＥＥ８０２．１１信号）を、同軸ケーブル・ネットワークを介して伝送するために適した信号に変調／変換する信号伝送装置及び信号伝送方法であって、標準的な無線ネットワーク信号が変調され、２．４ＧＨｚから５００ＭＨｚ乃至２０００ＭＨｚの範囲にダウンコンバートされ、長距離にわたり、同軸ケーブル・ネットワークを介して送信され、一方、周波数帯域選択器により、種々の周波数範囲を処理して、より多くの複数のユーザ・アクセス・サービスをサポートする、より広くした周波数帯域範囲を得る信号伝送装置及び信号伝送方法を提供することを目的とする。
【００１０】
一局面では、同軸ケーブルを介してデータ信号を伝送するサーバ側信号伝送装置を開示する。上記サーバ側信号伝送装置は、上記サーバからの上記データ信号を第１の信号に第１の伝送方向中に変換するか、又は、上記第１の信号を上記データ信号に第２の伝送方向中に変換するプロセッサ装置と、上記プロセッサ装置からの上記第１の信号を、第１の周波数帯域における第２の信号に上記第１の伝送方向中に変調するか、又は上記第１の周波数帯域における上記第２の信号を上記第１の信号に上記第２の伝送方向中に復調する変調／復調装置と、上記第１の伝送方向中に上記第１の信号を伝送するためのチャネルを上記第１の周波数帯域から選択するか、又は上記第２の伝送方向中に上記第２の信号を伝送するためのチャネルを上記第１の周波数帯域から選択するチューナと、上記第２の信号の上記第１の周波数帯域を低周波帯域に上記第１の伝送方向中に変換し、上記第２の信号の上記低周波帯域を上記第２の信号の上記第１の周波数帯域に上記第２の伝送方向中に変換する周波数変換装置と、上記第２の信号の上記低周波帯域を、より広い低周波帯域に上記第１の伝送方向中に広げ、より広い周波数帯域を上記低周波帯域に上記第２の伝送方向中に狭める周波数帯域選択器とを備える。
【００１１】
第１の伝送方向はサーバ側からクライアント側への下りリンク伝送方向であり、第２の伝送方向はクライアント側からサーバ側への上り伝送方向である。データ信号はイーサネット（登録商標）データ信号である。第１の信号はＩＥＥＥ８０２．１１準拠ベースバンド信号である。第２の信号はＩＥＥＥ８０２．１１準拠信号であり、第１の周波数は２．４ＧＨｚ又は５．８ＧＨｚである。サーバ側にある伝送装置では、低周波信号の周波数帯域は、周波数帯域選択器における局所発振器を適合させることによって広げられる。
【００１２】
別の局面では、同軸ケーブルを介してデータ信号を伝送するクライアント側信号伝送装置を提供する。上記装置は、上記クライアントからの上記データ信号を第３の信号に第３の伝送方向中に変換するか、又は上記第３の信号を上記データ信号に第４の伝送方向中に変換するプロセッサ装置と、上記プロセッサ装置からの上記第３の信号を第３の周波数帯域における第４の信号に上記第３の伝送方向中に変調するか、又は上記第３の周波数帯域における上記第４の信号を上記第３の信号に上記第４の伝送方向中に復調する変調／復調装置と、上記第３の伝送方向中に上記第３の信号を伝送するためのチャネルを上記第３の周波数帯域から選択するか、又は、上記第４の伝送方向中に上記第４の信号を伝送するためのチャネルを上記第３の周波数帯域から選択するチューナと、上記第４の信号の上記第３の周波数帯域を低周波帯域に上記第３の伝送方向中に変換し、上記第４の信号の上記低周波帯域を上記第４の信号の上記第３の周波数帯域に上記第４の伝送方向中に変換する周波数変換装置と。上記第４の信号の低周波帯域を、より広い低周波帯域に上記第３の伝送方向中に広げ、上記より広い周波数帯域を上記低周波帯域に上記第４の伝送方向中に狭める周波数帯域選択器とを備える。
【００１３】
第３の伝送方向はクライアント側からサーバ側への上りリンク伝送方向であり、第４の伝送方向はサーバ側からクライアント側への下り伝送方向である。データ信号はイーサネット（登録商標）データ信号である。第３の信号はＩＥＥＥ８０２．１１準拠ベースバンド信号である。第４の信号はＩＥＥＥ８０２．１１準拠信号であり、第３の周波数は２．４ＧＨｚ又は５．８ＧＨｚである。クライアント側にある伝送装置では、低周波信号の周波数帯域は、周波数帯域選択器における局所発振器を適合させることによって広げられる。
【図面の簡単な説明】
【００１４】
【図１】ＣＡＴＶネットワークにおける従来のサーバ側ＷＩＦＩ信号トランシーバを示す概略図である。
【図２】サーバ側及びクライアント側を含む従来の伝送システムを示す概略図である。
【図３】本発明による、ＣＡＴＶネットワークにおけるサーバ側ＷＩＦＩ信号トランシーバの一実施例を示す概略図である。
【図４】サーバ側及びクライアント側を含む伝送システム全体の一実施例を示す概略図である。
【発明を実施するための形態】
【００１５】
効果的には、信号の周波数範囲は、処理後、広げられ、したがって、信号伝送のための周波数帯域幅が広げられ、真のブロードバンド・データ伝送が達成される。
【実施例】
【００１６】
本発明は、ＩＥＥＥ８０２．１１標準信号（ＷＩＦＩ信号とも呼ばれる）を変調／変換し、変調／変換信号を同軸ケーブル・ネットワークを介して伝送して、既存のＣＡＴＶネットワークに基づいて、コストを節減する双方向信号伝送解決策を実現する双方向信号伝送装置及び方法に関する。
【００１７】
図３は、一実施例による、サーバ側信号トランシーバの単純化された構造を示す図である。図１に示す伝統的なトランシーバと同様に、本発明のトランシーバは、プロセッサ装置１ｂと、ＲＦ変調／復調装置２ｂと、ＲＦ周波数変換装置３ｂとを備える。プロセッサ装置１ｂには、イーサネット（登録商標）ネットワークのＩ／Ｏポートと信号通信で接続されたインタフェース、及び、ＲＦ変調／復調装置２ｂと信号通信で接続された別のインタフェースが提供される。下りリンク伝送中、イーサネット（登録商標）ネットワークから受信された信号は、プロセッサ装置１ｂにより、ＩＥＥＥ８０２．１１ベースバンド信号に変換され、ＲＦ変調／復調装置２ｂに転送される。従来技術と同様に、変調／復調装置２ｂには、チューナ４ｂが設けられ、ＩＥＥＥ８０２．１１ベースバンド信号は変調／復調装置２ｂによって変調され、チャネルがチューナ４ｂによって選択される。更に、選択されたチャネル上の変調信号がＲＦ周波数変換装置３ｂに出力される。ここで、２．４ＧＨｚ又は５．８ＧＨｚのＩＥＥＥ８０２．１１信号は５００ＭＨｚ乃至２０００ＭＨｚの信号にダウンコンバートされる。すなわち、ＷｉＦｉ信号が、２．４ＧＨｚ乃至２．４８３ＧＨｚ周波数帯から５００ＭＨｚ乃至５８３ＭＨｚに移される。一方、ダウンコンバートされた信号について、種々の周波数帯域を選択するために使用される周波数帯域選択器５ｂが存在している。周波数帯域は、ニーズ（例えば、５００ＭＨｚ、９００ＭＨｚ、９６０ＭＨｚ、１１００ＭＨｚの帯域等）に応じて選択することが可能であり、よって、周波数帯域範囲は、５００ＭＨｚ乃至５８３ＭＨｚ周波数帯域から、適宜、９００ＭＨｚ乃至９８３ＭＨｚの周波数帯域、９６０ＭＨｚ乃至１０４３ＭＨｚの周波数帯域、及び１１００ＭＨｚ乃至１１８３ＭＨｚの周波数帯域等に広げられる。したがって、広げられた周波数帯域範囲全体により、更に多くの非干渉チャネルをサポートすることが可能であり、ブロードバンド・アクセスが実現される。この実施例における周波数帯域選択器５ｂは局所発振器を含む。局所発振器の周波数を適合させることにより、信号を種々の周波数帯域上で伝送することが可能であり、よって、帯域幅が広げられる。図４で分かるように、クライアント側における同軸ケーブルを介して信号が伝送される場合、５００ＭＨｚ乃至２０００ＭＨｚの信号は周波数帯域選択器５ｂ’によって選択され、次いで、選択された周波数帯域が、ＲＦ周波数変換装置３ｂ’により、２．４ＧＨｚ又は５．８Ｈｚの信号によってアップコンバートされる。次の工程では、チャネルはチューナ４ｂ’によってチューニングされ、変換信号は、ＲＦ変調／復調装置２ｂ’により、ベースバンド信号に復調される。最後に、ベースバンド信号は、プロセッサ装置１ｂ’により、イーサネット（登録商標）データ信号に変換される。
【００１８】
上りリンク伝送中、クライアント側からのデータ信号は、下りリンク処理の上記説明、及び図４の例示により、既知であり得、ここでは記載しない、下りリンク伝送の反対の順序で処理される。
【００１９】
図４から分かるように、サーバからクライアント側に、同軸ケーブルを介してデータ信号を伝送するために使用される本発明の双方向信号伝送方法は、本願のトランシーバを使用することによって実現される。下りリンク伝送は、イーサネット（登録商標）ネットワークから受信されたデータ信号を、ＩＥＥＥ８０２．１１の標準ベースバンド信号に変換する工程と、ＩＥＥＥ８０２．１１の標準ベースバンド信号に、同軸ケーブルを介して信号を伝送する前に信号に適切なチャネルを選択している間に、変換されたベースバンド信号を変調する工程とを含む。次いで、変調信号は、２．４ＧＨｚ又は５．８ＧＨｚのＩＥＥＥ８０２．１１標準の信号から、５００ＭＨｚ乃至２０００ＭＨｚ（好ましくは、９００乃至１２００ＭＨｚ）にダウンコンバートされる。一方、元の周波数帯域を他の周波数帯域に広げさせるよう（例えば、５００ＭＨｚ乃至５８３ＭＨｚ周波数帯域から、９００ＭＨｚ乃至９８３ＭＨｚ周波数帯域へ、あるいは、９６０ＭＨｚ乃至１０４３ＭＨｚへ、あるいは、１１００ＭＨｚ乃至１１８３ＭＨｚへ）周波数帯域の選択が行われる。よって、より多くの非干渉チャネルをサポートすることが可能であり、ブロードバンド・アクセスが実現される。周波数帯域の移動は、種々の周波数において局所発振器を適合させることにより、周波数帯域選択器５ｂにおける局所発振器によって行うことが可能である。クライアント側では、５００ＭＨｚ乃至２０００ＭＨｚ信号がまず選択され、次いで、２．４ＧＨｚ又は５．８ＧＨｚのＩＥＥＥ８０２．１１にアップコンバートされる。更に、次いで、チャネルが選択され、アップコンバートされた信号は復調され、ＩＥＥＥ８０２．１１ベースバンド信号に変換され、このベースバンド信号はその後、プロセッサ装置１ｂにおいて通常のデータ信号に処理され、イーサネット（登録商標）・ネットワークに出力される。
【００２０】
好ましくは、前述の周波数帯域幅選択器５ｂ以外に、周波数範囲を（例えば、１ＧＨｚ又は２ＧＨｚ）に更に広げるための複数周波数帯域幅選択器を更に使用することができる。よって、本発明は、ＩＥＥＥ８０２．１１標準信号を同軸ケーブル・ネットワークを介して伝送して、ブロードバンドの技術的な解決策を実現することに適用可能である。
【００２１】
ＩＥＥＥ８０２．１１ｂ及びＩＥＥＥ８０２．１１ｇの例を使用することによって説明しているが、コンテクストにおいて言及された原則は他の無線信号に使用することが可能である。本発明の教示を組み入れた実施例を本明細書に詳細に示し、説明したが、当業者は、こうした教示をなお組み入れる他の多くの変形実施例を容易に考え出すことが可能である。修正及び変形は、上記教示に照らして当業者が行うことが可能である。実施例に記載された装置又はデバイスを、同様な効果を有する種々のやり方において一体化させることが可能である。
【図１】
2010511309.tif 000003
【図２】
2010511309.tif 000004
【図３】
2010511309.tif 000005
【図４】
2010511309.tif 000006
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
第１のネットワークから第２のネットワークに第１のデータ信号を伝送する信号伝送方法であって、
前記第１のデータ信号を第２のデータ信号に変換する工程と、
第１の周波数帯域を占める第３の信号を得るために前記第２のデータ信号を変調する工程と、
前記第１の周波数帯域からチャネルを選択する工程とを含み、
前記チャネルを、選択された周波数帯域に移動させる工程を更に含み、前記選択された周波数帯域は、複数の周波数帯域から選択される信号伝送方法。
【請求項２】
請求項１記載の信号伝送方法であって、前記第１のデータ信号がイーサネット（登録商標）データ信号である信号伝送方法。
【請求項３】
請求項２記載の信号伝送方法であって、前記第２のデータ信号が、ＩＥＥＥ８０２．１１ｘに準拠したベースバンド信号である信号伝送方法。
【請求項４】
請求項３記載の信号伝送方法であって、前記第２のデータ信号が、ＩＥＥＥ８０２．１１ｘに準拠した信号であり、前記第１の周波数帯域が２．４ＧＨｚ又は５．８ＧＨｚから始まる信号伝送方法。
【請求項５】
請求項４記載の信号伝送方法であって、前記選択された周波数帯域は、選択された周波数に局所発振器を適合させることによって選択される信号伝送方法。
【請求項６】
請求項５記載の信号伝送方法であって、前記第１のネットワークは無線ローカル・エリア・ネットワークであり、前記第２のネットワークは同軸ケーブル・ネットワークである信号伝送方法。
【請求項７】
請求項１又は６に記載の信号伝送方法であって、前記複数の周波数帯域は９００ＭＨｚ乃至９８３ＭＨｚ、９６０ＭＨｚ乃至１０４３ＭＨｚ、及び１１００ＭＨｚ乃至１１８３ＭＨｚを含む信号伝送方法。
【請求項８】
第１のネットワークから第２のネットワークに第１のデータ信号を伝送する信号伝送装置であって、
前記第１のデータ信号を第２のデータ信号に変換するプロセッサ装置と、
第１の周波数帯域を占める第３の信号を得るために前記第２のデータ信号を変調する変調／復調装置と、
前記第１の周波数帯域からチャネルを選択するチューナとを備え、
前記チャネルを、選択された周波数帯域に移動させる周波数変換装置を更に備え、前記選択された周波数帯域は、該装置により、複数の周波数帯域のうちから選択される信号伝送装置。
【請求項９】
請求項８記載の信号伝送装置であって、前記第１のデータ信号がイーサネット（登録商標）データ信号である信号伝送装置。
【請求項１０】
請求項９記載の信号伝送装置であって、前記第２のデータ信号が、ＩＥＥＥ８０２．１１ｘに準拠したベースバンド信号である信号伝送装置。
【請求項１１】
請求項１０記載の信号伝送装置であって、前記第２のデータ信号が、ＩＥＥＥ８０２．１１ｘに準拠した信号であり、前記第１の周波数帯域が２．４ＧＨｚ又は５．８ＧＨｚから始まる信号伝送装置。
【請求項１２】
請求項１１記載の信号伝送装置であって、前記選択された周波数帯域は、選択された周波数に局所発振器を適合させることによって選択される信号伝送装置。
【請求項１３】
請求項１２記載の信号伝送装置であって、前記第１のネットワークは無線ローカル・エリア・ネットワークであり、前記第２のネットワークは同軸ケーブル・ネットワークである信号伝送装置。
【請求項１４】
請求項１３記載の信号伝送装置であって、前記複数の周波数帯域は９００ＭＨｚ乃至９８３ＭＨｚ、９６０ＭＨｚ乃至１０４３ＭＨｚ、及び１１００ＭＨｚ乃至１１８３ＭＨｚを含む信号伝送装置。
【国際調査報告】
2010511309.tif 000007
2010511309.tif 000008